(57)【特許請求の範囲】
【請求項１】
洗浄水を車両へ噴射して洗車する洗車機本体と、洗浄水を洗車機本体に供給する給水部とを有し、
上記給水部に、洗浄水を貯える給水タンクを設け、
上記給水タンク内に、この給水タンク内の洗浄水を循環させる循環用ポンプと、この循環用ポンプで循環される洗浄水を活性化させる活水器とを設け、上記循環用ポンプを、洗車時に限らず洗車を実行していない時であっても、随時、駆動するように構成したことを特徴とする洗車設備。
【発明の詳細な説明】
【０００１】
【発明の属する技術分野】
本発明は、活水器で活性化した洗浄水を洗車機本体から車両へ噴射しながら洗車を行う洗車設備に関する。
【０００２】
【従来の技術】
従来、この種の洗車設備としては、例えば図３に示すように、前後方向へ走行自在な門型状の洗車機本体４０と、洗浄水４１を洗車機本体４０に供給する給水部４２とを有するものがある。上記洗車機本体４０には、洗浄水４１を車両４３に噴射する洗浄水噴射アーチ４４と、回転して車両４３の表面をブラッシングする複数のブラシ４５と、車両４３の表面を乾燥させる複数のノズル４６などが設けられている。
【０００３】
上記給水部４２には、洗浄水４１を貯える給水タンク４７と、この給水タンク４７の出口と上記洗車機本体４０の洗浄水噴射アーチ４４との間に接続された下流側供給ホース４８と、給水タンク４７の入口と水道等の給水源４９との間に接続された上流側供給ホース５０と、給水タンク４７内の洗浄水４１を下流側供給ホース４８から洗浄水噴射アーチ４４に圧送する給水ポンプ５１とが設けられている。また、上記下流側供給ホース４８の途中には、このホース４８内を流れる洗浄水４１を活性化させる（すなわち水分子をプラスイオン化させる）活水器５２が設けられている。
【０００４】
これによると、洗車時、給水ポンプ５１が駆動することによって、給水タンク４７内の洗浄水４１が、下流側供給ホース４８から洗浄水噴射アーチ４４に供給され、洗浄水噴射アーチ４４から車両４３に噴射される。この際、洗浄水４１は活水器５２によって活性化されているため、界面活性作用により洗浄力が向上して汚れが付着しにくく、また、酸化還元作用により洗車機本体４０が錆にくく、さらにはブラシ４５も汚れにくくなるといったメリットがある。
【０００５】
【発明が解決しようとする課題】
しかしながら上記の従来形式では、活水器５２を下流側供給ホース４８の途中に設けているため、洗車時に洗浄水噴射アーチ４４から単位時間当たりに噴射される洗浄水４１の量をＸ（リットル／分）とすると、上記活水器５２は下流側供給ホース４８内を流れるＸ（リットル／分）の洗浄水４１を十分に活性化し得るだけの処理能力を有するものを用いる必要があり、このようなことから、大型で高価な活水器５２が使用されていた。
【０００６】
本発明は、処理能力の低い小型で安価な活水器を用いて洗浄水を十分に活性化し得る洗車設備を提供することを目的とする。
【０００７】
【課題を解決するための手段】
上記問題を解決するために本発明における洗車設備は、洗浄水を車両へ噴射して洗車する洗車機本体と、洗浄水を洗車機本体に供給する給水部とを有し、
上記給水部に、洗浄水を貯える給水タンクを設け、
上記給水タンク内に、この給水タンク内の洗浄水を循環させる循環用ポンプと、この循環用ポンプで循環される洗浄水を活性化させる活水器とを設け、上記循環用ポンプを、洗車時に限らず洗車を実行していない時であっても、随時、駆動するように構成したものである。
【０００８】
これによると、洗車時に限らず洗車を実行していない時であっても、随時、循環用ポンプを駆動させることによって、給水タンク内の洗浄水は循環しながら活水器で十分に活性化される。
【０００９】
また、洗車によって給水タンク内の洗浄水の水位が低下すると、給水タンク内に水が補給され、そして、洗車終了後も、循環用ポンプが駆動することによって、給水タンク内の洗浄水が随時活性化されていく。したがって、空き時間を利用して循環用ポンプを駆動することによって、給水タンク内の洗浄水を時間をかけて十分に活性化しておけばよいため、従来よりも処理能力の低い小型で安価な活水器を用いることができる。
【００１０】
【発明の実施の形態】
以下、本発明の実施の形態を図１，図２に基づいて説明する。
１は前後方向へ走行自在な門型状の洗車機本体であり、この洗車機本体１には、洗浄水２を車両３に噴射する洗浄水噴射アーチ４と、洗剤を車両３に噴射する洗剤噴射アーチ２２と、液体ワックスを車両３に噴射するワックス噴射アーチ２３と、回転しながら車両３の表面をブラッシングするロッカーブラシ５とサイドブラシ６とトップブラシ７と、車両３の表面を乾燥させるトップノズル（図示せず）とサイドノズル９などが設けられている。
【００１１】
また、１１は洗浄水２を洗車機本体１に供給する給水部であり、この給水部１１には、洗浄水２を貯える給水タンク１２と、この給水タンク１２の出口と上記洗車機本体１の洗浄水噴射アーチ４との間に接続された下流側給水ホース１３と、給水タンク１２の入口と水道等の給水源１４との間に接続された上流側給水ホース１５と、給水タンク１２内の洗浄水２を下流側給水ホース１３から洗浄水噴射アーチ４に圧送する給水ポンプ１６と、下流側給水ホース１３を支持する起立横倒自在な支持部材１７とが設けられている。
【００１２】
上記給水タンク１２の内部には、給水タンク１２内の洗浄水２を循環させる小型の循環用ポンプ１９と、この循環用ポンプ１９で循環される洗浄水２を活性化させる活水器２０と、洗浄水２の水位を検出するフロート２４とが設けられている。
【００１３】
上記循環用ポンプ１９の出口側と活水器２０の入口側とは流量調整用のオリフィス２１で接続されている。尚、活水器２０には特殊なセラミックスが内蔵されており、入口側から活水器２０内に流入した洗浄水２の水分子が上記セラミックスに衝突することによってプラスイオン化（活性化）され、出口側から給水タンク１２内に流出する。
【００１４】
また、給水タンク１２内の洗浄水２の水位と共にフロート２４の位置が下降した場合、自動的に洗浄水２が給水源１４から給水タンク１２内へ供給され、上記フロート２４の位置が一定レベルまで上昇すると、給水源１４から給水タンク１２内への洗浄水２の供給が自動的に停止されるように構成されている。
【００１５】
以下、上記構成における作用を説明する。
洗車時に限らず洗車を実行していない時であっても、随時、循環用ポンプ１９を駆動することによって、循環用ポンプ１９の出口側から送り出された洗浄水２が、オリフィス２１内を通って活水器２０内に流入し、活性化されて出口側から給水タンク１２内に流出する。このように、給水タンク１２内の洗浄水２は循環しながら十分に活性化される。
【００１６】
洗車時には、洗車機本体１が前進するとともに、給水ポンプ１６が駆動することによって、給水タンク１２内の活性化された洗浄水２が、下流側給水ホース１３を通って洗浄水噴射アーチ４に供給され、洗浄水噴射アーチ４から車両３に噴射される。さらに、洗剤が洗剤噴射アーチ２２から車両３に噴射されるとともに液体ワックスがワックス噴射アーチ２３から車両３に噴射され、各ブラシ５，６，７が回転して車両３の表面をブラッシングする。その後、洗車機本体１が後進して元の位置へ戻り、後進の際に、車両３の表面が各ノズル９から吹き付けられる空気によって乾燥される。
【００１７】
尚、上記洗車によって給水タンク１２内の洗浄水２の水位が低下するとフロート２４も下降するため、洗浄水２の水位が一定レベルに戻るまで、自動的に上流側給水ホース１５から給水タンク１２内に洗浄水２が補給される。そして、洗車終了後も、循環用ポンプ１９が引き続き駆動しており、これによって、循環用ポンプ１９の出口側から送り出された洗浄水２が活水器２０内に流入して活性化され出口側から給水タンク１２内に流出する。したがって、空き時間を利用して循環用ポンプ１９を駆動することによって、給水タンク１２内の洗浄水２を時間をかけて十分に活性化しておけばよいため、従来よりも処理能力の低い小型で安価な活水器２０を用いることができる。
【００１８】
上記実施の形態では、停止した車両３に対して、洗車機本体１が走行移動しながら洗車を行う形式の洗車設備を挙げたが、地上に固定された据置型の洗車機本体に対して車両３を搬送装置で搬送しながら洗車機本体内で洗車する形式の洗車設備であってもよい。
【００１９】
【発明の効果】
以上のように本発明によれば、洗車時に限らず洗車を実行していない時であっても、随時、循環用ポンプを駆動させることによって、給水タンク内の洗浄水は循環しながら活水器で十分に活性化される。
【００２０】
また、洗車によって給水タンク内の洗浄水の水位が低下すると、給水タンク内に水が補給され、そして、洗車終了後も、循環用ポンプが駆動することによって、給水タンク内の洗浄水が随時活性化されていく。したがって、空き時間を利用して循環用ポンプを駆動することによって、給水タンク内の洗浄水を時間をかけて十分に活性化しておけばよいため、従来よりも処理能力の低い小型で安価な活水器を用いることができる。
【図面の簡単な説明】
【図１】本発明の実施の形態における洗車設備の側面図である。
【図２】同、洗車設備の給水タンクの内部の図である。
【図３】従来の洗車設備の側面図である。
【符号の説明】
１    洗車機本体
２    洗浄水
３    車両
１１    給水部
１２    給水タンク
１９    循環用ポンプ
２０    活水器
【図１】
0003555462.tif 000002
【図２】
0003555462.tif 000003
【図３】
0003555462.tif 000004